(57)【要約】【課題】薄板部材を破損させることなく効率良く薄板部材を洗浄することを可能とする薄板部材洗浄装置を提供する。【解決手段】薄板部材洗浄装置１０００は、蓋部材１１０１と、この蓋部材１１０１により一方端側に設けられた開口部が閉ざされ、内部に水道水１３００が蓄えられる細長い円筒形状容器１１０２とを含む洗浄容器１１００と、この洗浄容器１１００内に収容され、洗浄容器１１００内を移動することで水道水１３００によりその表面が洗浄されるメッシュ部材１６０を保持する薄板部材固定部材１２００とを備えている。【選択図】図４
2011140008.tif 000002
【特許請求の範囲】
【請求項１】
蓋部材と、前記蓋部材により一方端側に設けられた開口部が閉ざされ、内部に液体が蓄えられる円筒形状容器と、を含む洗浄容器と、
前記洗浄容器内に収容され、前記洗浄容器内を移動することで前記液体によりその表面が洗浄される薄板部材を保持する薄板部材固定部材と、を備え、
前記薄板部材固定部材は、
前記液体を通過させる複数の第１開口部を有する第１ベース部材と、
前記第１ベース部材に固定され、前記薄板部材を保持する薄板部材保持部とを有する、薄板部材洗浄装置。
【請求項２】
前記薄板部材固定部材は、
前記薄板部材保持部を挟み、前記第１ベース部材と対向する位置に、前記液体を通過させる複数の第２開口部を有する第２ベース部材を有する、請求項１に記載の薄板部材洗浄装置。
【請求項３】
前記第１ベース部材に設けられる前記第１開口部の開口面積は、前記第２ベース部材に設けられる前記第２開口部の開口面積よりも大きい、請求項２に記載の薄板部材洗浄装置。
【請求項４】
前記薄板部材固定部材は、前記円筒形状容器の内面との衝突を和らげる衝撃吸収部材を有する、請求項１から３のいずれかに記載の薄板部材洗浄装置。
【発明の詳細な説明】
【技術分野】
【０００１】
この発明は、薄板部材を洗浄するための薄板部材洗浄装置に関する。
【背景技術】
【０００２】
金属など薄板部材に多数の微細孔を加工したメッシュ部材を振動させて液体の微細粒を噴霧する技術がある。具体例として、喘息治療薬などを吸入する霧化装置（ネブライザや吸入器）に適用されたものが存在する。特にネブライザにおいては、薬液を吸入するという意味からメッシュ部材が清潔な状態に保たれることが望まれる。また、粘性の高い薬液を使用する場合などにおいては、その薬液がメッシュ部材に固着して微細孔を塞いでしまうことのないように使用後の洗浄が必要となる。
【０００３】
このメッシュ部材の代表的な洗浄方法には、（ａ）ネブライザの薬液ボトルに水道水を入れて数分間噴霧させて、メッシュ部材を洗浄する方法（水噴霧洗浄方法）、（ｂ）水道水からの流水を直接メッシュ部に当てて洗浄する方法（流水洗浄方法）、が挙げられる。
【０００４】
しかし、（ａ）に示す水噴霧洗浄方法では、ネブライザの電池を消費するため、電池交換サイクルが短くなる。使用者等が、霧化した水を吸入すると好ましくないため、注意が必要である。また、洗浄に手間や時間がかかる。
【０００５】
（ｂ）に示す流水洗浄方法では、水道水からの流水をメッシュ部に直接当てて洗浄した場合、微細加工かつ目詰まり防止のためにメッシュ部材は薄板であることがほとんどであり、激しい流水を当てることによってメッシュ部材が破損し、変形するおそれがある。水の勢いのために誤って手からメッシュ部材が脱落し、メッシュ部材を排水口に流してしまうおそれもある。
【０００６】
なお、本発明に係るメッシュ部材等の薄板部材洗浄装置についての背景技術を、出願人の知得した本技術分野における一般的技術情報に基づいて説明したが、出願人の記憶する範囲において、出願前までに先行技術文献情報として開示すべき情報を出願人は有していない。なお、薄板部材洗浄装置とは技術分野が異なるが、水道水の流水の勢いで米または穀物を洗浄するという技術は、下記特許文献１（特開２００１−１７８６３９号公報「水流式洗米機又は穀物洗い機」）に開示されている。また、洗浄剤の発泡による気泡を用いて入歯の表面を洗浄する技術が、下記特許文献２（登録実用新案第３００７４４２号公報）に開示されている。
【先行技術文献】
【特許文献】
【０００７】
【特許文献１】特開２００１−１７８６３９号公報
【特許文献２】登録実用新案第３００７４４２号公報
【発明の概要】
【発明が解決しようとする課題】
【０００８】
この発明が解決しようとする課題は、薄板部材を洗浄するための装置が存在しない点にある。したがって、本発明の目的は、薄板部材を破損させることなく効率良く薄板部材を洗浄することを可能とする薄板部材洗浄装置を提供することにある。
【課題を解決するための手段】
【０００９】
この発明に基づいた薄板部材洗浄装置においては、蓋部材と、上記蓋部材により一方端側に設けられた開口部が閉ざされ、内部に液体が蓄えられる円筒形状容器と、を含む洗浄容器と、上記洗浄容器内に収容され、上記洗浄容器内を移動することで上記液体によりその表面が洗浄される薄板部材を保持する薄板部材固定部材とを備え、上記薄板部材固定部材は、上記液体を通過させる複数の第１開口部を有する第１ベース部材と、上記第１ベース部材に固定され、上記薄板部材を保持する薄板部材保持部とを有する。
【００１０】
上記薄板部材洗浄装置の他の形態においては、上記薄板部材固定部材は、上記薄板部材保持部を挟み、上記第１ベース部材と対向する位置に、上記液体を通過させる複数の第２開口部を有する第２ベース部材を有する。また、好ましくは、上記第１ベース部材に設けられる上記第１開口部の開口面積は、上記第２ベース部材に設けられる上記第２開口部の開口面積よりも大きい。
【００１１】
上記いずれかの薄板部材洗浄装置の他の形態においては、上記薄板部材固定部材は、上記円筒形状容器の内面との衝突を和らげる衝撃吸収部材を有する。
【発明の効果】
【００１２】
この発明に基づいた薄板部材洗浄装置によれば、薄板部材を破損させることなく効率良く薄板部材を洗浄することを可能とする薄板部材洗浄装置を提供することを可能とする。
【図面の簡単な説明】
【００１３】
【図１】メッシュ部材を備えるネブライザの全体構成を示す第１の斜視図である。
【図２】メッシュ部材を備えるネブライザの全体構成を示す第２の斜視図である。
【図３】（ａ）および（ｂ）は、図２中のＩＩＩ−ＩＩＩ線矢視部分断面図である。
【図４】実施の形態１における薄板部材洗浄装置の構成を示す外観図である。
【図５】実施の形態１における薄板部材洗浄装置に採用される薄板部材固定部材の構成を示す概念図である。
【図６】実施の形態１における薄板部材洗浄装置に採用される薄板部材固定部材の具体的構成を示す斜視図である。
【図７】実施の形態２における薄板部材洗浄装置に採用される薄板部材固定部材の構成を示す斜視図である。
【図８】実施の形態３における薄板部材洗浄装置に採用される薄板部材固定部材の構成を示す斜視図である。
【図９】実施の形態４における薄板部材洗浄装置に採用される薄板部材固定部材の構成を示す図である。
【図１０】実施の形態５における薄板部材洗浄装置に採用される薄板部材固定部材の構成を示す図である。
【図１１】実施の形態６における薄板部材洗浄装置に採用される薄板部材固定部材の構成を示す図である。
【図１２】実施の形態７における薄板部材洗浄装置に採用される薄板部材固定部材の構成を示す図である。
【発明を実施するための形態】
【００１４】
以下、この発明に基づいた各実施の形態における薄板部材洗浄装置について図面を参照して詳細に説明する。なお、以下に説明する各実施の形態において、個数、量などに言及する場合、特に記載がある場合を除き、本発明の範囲は必ずしもその個数、量などに限定されない。また、以下に複数の実施の形態が存在する場合、特に記載がある場合を除き、各々の実施の形態の構成を適宜組み合わせることは、当初から予定されている。各図中、同一符号は同一または相当部分を指し、重複する説明は繰返さない場合がある。
【００１５】
また、後述する各実施の形態における薄板部材洗浄装置は、水道水を用いた場合について説明するが、専用の洗浄液を用いることも可能である。
【００１６】
（メッシュ部材を備えるネブライザ）
先ず、図１から図３を参照して、洗浄対象部材の一例であるメッシュ部材を備えるネブライザについて説明する。ネブライザは、主に医療用に用いられる装置である。このネブライザは、霧化部において薬液を霧状の粒子に霧化させ、使用者がこの霧状の薬液を口または鼻から吸入することで、気管支や鼻腔、咽喉などの疾患を治療するためのものである。
【００１７】
図示する、ネブライザは、超音波メッシュ式の霧化機構を備えている。ネブライザ１００は、その上部に薬液を噴霧するための噴霧口１１０を備えている。また、ネブライザ１００の上部には、薬液をネブライザ１００内の薬液貯留部１３０（図３参照）に供給し、薬液貯留部１３０を洗浄し易くするための開閉操作部１２０が設けられている。また、薬液の供給は噴霧口１１０を開閉することでも可能である。
【００１８】
ネブライザ１００の吸入補助具であるマウスピース２００は、樹脂材料により一体に形成されている。このマウスピース２００は、ネブライザ１００の上部に取付け可能な形状を有しており、その内部にネブライザ１００の噴霧口１１０から噴霧される霧状の薬液が通過する筒状部２４０（図３参照）を備えている。
【００１９】
マウスピース２００の上面には、使用者が口で咥えるための第２の開口である吸入口２２０が設けられている。マウスピース２００の筒状部２４０は、ネブライザ１００の噴霧口１１０に気密に取り付けられるものではなく、所定の位置に空気を取りこむための第３の開口である空気取込口２３０を有している。
【００２０】
このマウスピース２００が、ネブライザ１００の上部に取り付けられた状態で、使用者はネブライザ１００を手で持って使用する。このとき、ネブライザ１００を若干手前に傾斜させて、マウスピース２００の吸入口２２０を咥えるようにして使用する。
【００２１】
次に、図３を参照してネブライザ１００の構造およびマウスピース２００の形状について、より詳細に説明する。なお、図３（ａ）は、ネブライザ１００を水平に保った状態を示しており、図３（ｂ）は、ネブライザ１００を使用するために使用者がネブライザ１００を手前に傾斜させた状態を示している。
【００２２】
ネブライザ１００は、噴霧口１１０の直下に超音波メッシュ式の霧化機構を備えている。この超音波メッシュ式の霧化機構は、圧電素子１５０およびステップホーン１４０、メッシュ部材１６０とからなる。メッシュ部材１６０は、多数の微細孔を加工が施された金属の薄板部材と、その周囲に設けられる樹脂部材と有している。メッシュ部材１６０の下面はステップホーン１４０の一端と当接している。メッシュ部材１６０は、洗浄のために、仕切り板１９０に対して、使用者により着脱可能に設けられている。
【００２３】
圧電素子１５０は電源により駆動されることで振動を開始し、この振動がステップホーン１４０に伝搬することでステップホーン１４０とメッシュ部材１６０との当接面において薬液が霧化される。霧化された薬液は、微細孔からネブライザ１００の噴霧口１１０に向かって勢いよく噴出す。
【００２４】
噴霧口１１０の周縁には、筒状部２４０に付着することで液滴化した薬液や使用者の涎を貯留するための液溜め部１８０が形成されている。この液溜め部１８０内に貯留された薬液や涎は、その内側に位置するメッシュ部材１６０に混入しないように仕切り板１９０で隔てられている。メッシュ部材１６０は、洗浄のために仕切り板１９０に対して、使用者により着脱可能に設けられている。
【００２５】
ネブライザ１００の内部には、霧化部に隣接して薬液貯留部１３０が形成されている。薬液の補給は、前述した噴霧口１１０を開閉することで行なわれる。薬液貯留部１３０内に貯留された薬液は、ネブライザ１００が使用時に傾斜させられることで残らず霧化部に供給され、霧化される。このため、霧化部は、薬液が装置内部に垂れ出さないようにＯリング１７０により水密構造が施されている。
【００２６】
マウスピース２００は、上述の通り、霧化された薬液が内部を通過する筒状部２４０を備えており、ネブライザ１００に取り付けられた状態で、この筒状部２４０の両端に、ネブライザ１００の噴霧口１１０に対向する第１の開口である霧化装置側開口２１０と、使用者が咥えるための第２の開口である吸入口２２０とを備えている。
【００２７】
この霧化装置側開口２１０の周縁の一部からは、筒状部２４０に連続して鍔部２１１が設けられている。この鍔部２１１は、液滴化した薬液や涎が垂れ出さないように集めてネブライザ１００の液溜め部１８０に案内する役割を担っている。
【００２８】
この鍔部２１１は、筒状部２４０が気密状態とならないように開口の周縁全面には施されておらず、鍔部が形成されていない霧化装置側開口の周縁には、空気を取り込むための空気取込口２３０が形成されている。この空気取込口２３０は、霧化装置側開口を切り欠くことで形成されている。これにより、筒状部２４０内に空気の流れが絶えず生ずるようになっている。
【００２９】
（実施の形態１）
次に、図４から図６を参照して、この発明に基づいた実施の形態１における薄板部材洗浄装置１０００の構造について説明する。なお、図４は、薄板部材洗浄装置１０００の構成を示す外観図であり、図５は、薄板部材洗浄装置１０００に採用される薄板部材固定部材１２００の構成を示す概念図であり、図６は、薄板部材固定部材１２００の具体的構成を示す斜視図である。
【００３０】
（薄板部材洗浄装置１０００）
この薄板部材洗浄装置１０００は、蓋部材１１０１と、この蓋部材１１０１により一方端側に設けられた開口部が閉ざされ、内部に水道水１３００が蓄えられる細長い円筒形状容器１１０２とを含む洗浄容器１１００と、この洗浄容器１１００内に収容され、洗浄容器１１００内を移動することで水道水１３００によりその表面が洗浄されるメッシュ部材１６０を保持する薄板部材固定部材１２００とを備えている。
【００３１】
円筒形状容器１１０２は、縦長の円筒形状を有しており、また、内部の視認が可能なように、透明部材から構成されている。たとえば、樹脂材料、ガラス材料が用いられる。円筒形状容器１１０２の上端部領域の側壁部には、円筒形状容器１１０２に蓄えるべき水道水を入れるための目印として、液面ライン１１０３が刻印または印刷により設けられている。蓋部材１１０１は、ゴム等の弾性変形が可能な部材が用いられ、防水性が確保されると共に、第２ベース部材１２０４（又は薄板部材固定部材１２００）との衝突が緩和される。なお、円筒形状容器１１０２の上端部と蓋部材１１０１との間にネジを設け、相互に螺合させることにより、円筒形状容器１１０２に対して蓋１１０１を開閉可能に設けることも可能である。
【００３２】
薄板部材固定部材１２００は、第１ベース部材１２０１と、この第１ベース部材１２０１に固定され、メッシュ部材１６０を保持するメッシュ部材保持部１２０２と、メッシュ部材保持部１２０２を挟み、第１ベース部材１２０１と対向する位置に配置される第２ベース部材１２０４と、第１ベース部材１２０１と第２ベース部材１２０４とを連結する複数の支柱１２０３とを有している。第１ベース部材１２０１と第２ベース部材１２０と間隔は、使用者がメッシュ部材１６０の出し入れが可能で、洗浄中にはメッシュ部材１６０が揺動するものの、薄板部材固定部材１２００からメッシュ部材１６０が飛び出さない寸法に設定されている。
【００３３】
洗浄容器１１００の中に水道水１３００を規定量蓄えて、薄板部材固定部材１２００を収容した状態で、洗浄容器１１００の軸方向に洗浄容器１１００を揺する（上下動させる）ことで、薄板部材固定部材１２００が洗浄容器１１００の中で往復運動を行なう。
【００３４】
図６に詳細に示すように、第１ベース部材１２０１は、円筒形状容器１１０２の内径寸法よりも小さい板状の円形形状を有している。また、第１ベース部材１２０１には、水道水１３００を通過させる第１開口部１２０１ａが複数設けられている。本実施の形態においては、第１開口部１２０１ａの開口形状として四角柱形状をしているが、この開口形状に限定されず、円柱形状、円錐形状、その他の形状を採用することが可能である。
【００３５】
第２ベース部材１２０４も第１ベース部材１２０１と同様に、円筒形状容器１１０２の内径寸法よりも小さい板状の円形形状を有している。第２ベース部材１２０４にも、水道水１３００を通過させる第２開口部１２０４ａが複数設けられている。本実施の形態においては、第２開口部１２０４ａの開口形状として円柱形状をしているが、この開口形状に限定されず、四角柱形状、円錐形状、その他の形状を採用することが可能である。
【００３６】
第１ベース部材１２０１と第２ベース部材１２０４とは対向配置されるように、３本の支柱１２０３により相互に固定されている。支柱１２０３の形状本数は、本実施の形態には限定されない。また、支柱１２０３を第１ベース部材１２０１および第２ベース部材１２０４に対して着脱可能に設けることも可能である。
【００３７】
本実施の形態においては、第１ベース部材１２０１に設けられる第１開口部１２０１ａの開口面積は、第２ベース部材１２０４に設けられる第２開口部１２０４ａの開口面積よりも大きくなるように設けられている。
【００３８】
これにより、薄板部材固定部材１２００が洗浄容器１１００の中で往復運動した場合に、第１ベース部材１２０１を通過する水道水１３００と、第２ベース部材１２０４を通過する水道水１３００との間に流れの相違が生じ、第１ベース部材１２０１と第２ベース部材１２０４との間において乱流を発生させることができる。その結果、メッシュ部材１６０の清浄効率をより高めることができる。また、第１開口部１２０１ａおよび第２開口部１２０４ａを水道水１３００が通過することで、円筒形状容器１１０２内の空気を取り込み気泡を含んだ泡が発生する。この泡に含まれる気泡のメッシュ部材１６０への衝突や破裂するパワーで、洗浄効果が高まることを期待することができる。
【００３９】
なお、第１ベース部材１２０１に設けられる第１開口部１２０１ａの開口面積と第２ベース部材１２０４に設けられる第２開口部１２０４ａの開口面積とを同じにしても、メッシュ部材１６０の表面を水道水１３００が流れるため、十分な洗浄効果を得ることができる。
【００４０】
第１ベース部材１２０１の上には、メッシュ部材１６０を起立させた状態で保持するための保持するためのメッシュ部材保持部１２０２が設けられている。なお、メッシュ部材１６０を起立させた状態とは、メッシュ部材１６０を含む平面と、洗浄容器１１００の長手軸方向とが並行に設けられる場合をいう。メッシュ部材１６０は、多数の微細孔を加工が施された金属の薄板部材１６１と、その周囲に設けられる環状の樹脂部材１６２とが一体となっている。
【００４１】
メッシュ部材保持部１２０２は、メッシュ部材１６０を起立させた状態でメッシュ部材１６０を下方側面から保持する半円形の溝部１２０２ａを有する。なお、溝部１２０２ａの幅は、メッシュ部材１６０の幅よりも大きく形成しておくことで、メッシュ部材１６０がメッシュ部材保持部１２０２内で揺れることができ、洗浄効果をより高めることができる。
【００４２】
（メッシュ部材１６０の洗浄）
この薄板部材洗浄装置１０００を用いたメッシュ部材１６０の洗浄においては、図４に示すように、洗浄容器１１００の中に水道水１３００を規定量蓄えて、薄板部材固定部材１２００を収容した状態で、洗浄容器１１００の軸方向に洗浄容器１１００を振る（上下動させる）ことで、薄板部材固定部材１２００が洗浄容器１１００の中で往復運動を行なう。これにより、水道水１３００がメッシュ部材１６０の表面を流れ、メッシュ部材１６０に付着している薬液カス等が除去される。
【００４３】
（作用・効果）
このように本実施の形態における薄板部材洗浄装置１０００を用いたメッシュ部材１６０の洗浄よれば、薄板部材固定部材１２００および水道水１３００を収容した薄板部材洗浄装置１０００を振ることで、容易にメッシュ部材１６０の洗浄を行なうことができる。また、振る回数を予め定めておくことで、定量的かつより均一な洗浄を実現することができる。
【００４４】
また、洗浄容器１１００は縦長に設けられているため、ユーザが直感的に振る方向を理解できることから、一定の方向で洗浄が行われ、ユーザによる洗浄のばらつきを抑制することもできる。
【００４５】
また、薄板部材洗浄装置１０００を振る際に、薄板部材洗浄装置１０００内に存在する空気が水道水１３００中に取り込まれることにより気泡を発生させることができる。これにより、気泡の衝突や破裂による微細な振動によっても、メッシュ部材１６０の洗浄効果を高めることができる。
【００４６】
また、メッシュ部材１６０に勢いの強い水が当たることはないため、メッシュ部材１６０、特に、金属の薄板部材１６１を破損することはない。また、メッシュ部材１６０は、薄板部材洗浄装置１０００の内部に収用されていることから、紛失してしまうこともない。
【００４７】
また、薄板部材洗浄装置１０００は常に持ち運びできる大きさであるために、上記したネブライザとともに持ち運びすることができる。
【００４８】
このように本実施の形態における薄板部材洗浄装置１０００によれば、メッシュ部材１６０を破損させることなく効率良くメッシュ部材１６０を洗浄することを可能とする。
【００４９】
（実施の形態２）
次に、図７を参照して、この発明に基づいた実施の形態２における薄板部材洗浄装置の構造について説明する。実施の形態２における薄板部材洗浄装置の基本的構成は、上述の実施の形態１における薄板部材洗浄装置１０００と同じである。相違点は、薄板部材固定部材１２００Ａのメッシュ部材保持部１２０２Ａの形態のみである。
【００５０】
したがって、図中において、同一の構成については、同一符号を付して重複は繰返さず、本実施の形態における薄板部材固定部材１２００Ａのメッシュ部材保持部１２０２Ａについてのみ説明する。なお、図７は、薄板部材固定部材１２００Ａの具体的構成を示す斜視図である。
【００５１】
（薄板部材固定部材１２００Ａ／メッシュ部材保持部１２０２Ａ）
図７に示すように、この実施の形態における薄板部材固定部材１２００Ａは、第１ベース部材１２０１の上面側に、メッシュ部材１６０を傾斜させた状態で保持するためのメッシュ部材保持部１２０２Ａが設けられている。なお、メッシュ部材１６０を傾斜させた状態とは、メッシュ部材１６０を含む平面と、洗浄容器１１００の長手軸方向とが交差する場合をいう。なお、実施の形態１は、メッシュ部材１６０を含む平面が洗浄容器１１００の長手軸方向と並行であり、後述の実施の形態３は、メッシュ部材１６０を含む平面が洗浄容器１１００の長手軸方向と垂直に交差する状態であり、本実施の形態は、実施の形態１と３との間の状態を意味する。
【００５２】
メッシュ部材保持部１２０２Ａは、メッシュ部材１６０を側面側から覆い、一部が切離された略筒形状の側壁部１２０２１と、この側壁部１２０２１の内面に設けられメッシュ部材１６０を傾斜させた状態で、下方側面から保持する略半円形の傾斜支持部１２０２２とを有する。
【００５３】
（メッシュ部材１６０の洗浄）
この薄板部材洗浄装置を用いたメッシュ部材１６０の洗浄においては、実施の形態１の場合と同様に、洗浄容器１１００の中に水道水１３００を規定量蓄えて、薄板部材固定部材１２００Ａを収容した状態で、洗浄容器１１００の軸方向に洗浄容器１１００を振る（上下動させる）ことで、薄板部材固定部材１２００Ａが洗浄容器１１００の中で往復運動を行なう。これにより、水道水１３００がメッシュ部材１６０の表面を流れ、メッシュ部材１６０に付着している薬液カス等が除去される。
【００５４】
（作用・効果）
このように本実施の形態における薄板部材洗浄装置を用いたメッシュ部材１６０の洗浄においても、上記実施の形態１の場合と同様の作用効果を得ることができる。
【００５５】
（実施の形態３）
次に、図８を参照して、この発明に基づいた実施の形態３における薄板部材洗浄装置の構造について説明する。実施の形態３における薄板部材洗浄装置の基本的構成は、上述の実施の形態１における薄板部材洗浄装置１０００と同じである。相違点は、薄板部材固定部材１２００Ｂのメッシュ部材保持部１２０２Ｂの形態のみである。
【００５６】
したがって、図中において、同一の構成については、同一符号を付して重複は繰返さず、本実施の形態における薄板部材固定部材１２００Ｂのメッシュ部材保持部１２０２Ｂについてのみ説明する。なお、図８は、薄板部材固定部材１２００Ｂの具体的構成を示す斜視図である。
【００５７】
（薄板部材固定部材１２００Ｂ／メッシュ部材保持部１２０２Ｂ）
図８に示すように、この実施の形態における薄板部材固定部材１２００Ｂは、第１ベース部材１２０１の上面側に、メッシュ部材１６０を水平状態で保持するためのメッシュ部材保持部１２０２Ｂが設けられている。なお、メッシュ部材１６０を水平状態で保持するとは、メッシュ部材１６０を含む平面と、洗浄容器１１００の長手軸方向とが垂直に交差する場合をいう。
【００５８】
メッシュ部材保持部１２０２Ｂは、メッシュ部材１６０を側面から保持し、一部不連続なリング部１２０２３と、メッシュ部材１６０を上面側から保持する押さえ部１２０２４とを有する。
【００５９】
（メッシュ部材１６０の洗浄）
この薄板部材洗浄装置を用いたメッシュ部材１６０の洗浄においては、実施の形態１の場合と同様に、洗浄容器１１００の中に水道水１３００を規定量蓄えて、薄板部材固定部材１２００Ｂを収容した状態で、洗浄容器１１００の軸方向に洗浄容器１１００を振る（上下動させる）ことで、薄板部材固定部材１２００Ｂが洗浄容器１１００の中で往復運動を行なう。これにより、水道水１３００がメッシュ部材１６０の表面を流れ、メッシュ部材１６０に付着している薬液カス等が除去される。
【００６０】
（作用・効果）
このように本実施の形態における薄板部材洗浄装置を用いたメッシュ部材１６０の洗浄においても、上記実施の形態１の場合と同様の作用効果を得ることができる。
【００６１】
（実施の形態４）
次に、図９を参照して、この発明に基づいた実施の形態４における薄板部材洗浄装置の構造について説明する。実施の形態４における薄板部材洗浄装置の基本的構成は、上述の実施の形態１における薄板部材洗浄装置１０００と同じである。相違点は、第２ベース部材１２０４および支柱１２０３が設けられていない点にある。
【００６２】
この構成においても、メッシュ部材１６０の洗浄においては、実施の形態１の場合と同様に、洗浄容器１１００の中に水道水１３００を規定量蓄えて、薄板部材固定部材１２００Ｃを収容した状態で、洗浄容器１１００の軸方向に洗浄容器１１００を振る（上下動させる）ことで、薄板部材固定部材１２００Ｂが洗浄容器１１００の中で往復運動を行なう。これにより、水道水１３００がメッシュ部材１６０の表面を流れ、メッシュ部材１６０に付着している薬液カス等が除去される。なお、本構成は、上記実施の形態２および３に示す薄板部材洗浄装置に対しても適用可能である。
【００６３】
（作用・効果）
このように本実施の形態における薄板部材洗浄装置を用いたメッシュ部材１６０の洗浄においても、上記実施の形態１の場合と同様の作用効果を得ることができる。
【００６４】
（実施の形態５）
次に、図１０を参照して、この発明に基づいた実施の形態５における薄板部材洗浄装置の構造について説明する。実施の形態５における薄板部材洗浄装置は、上述の実施の形態１における薄板部材洗浄装置１０００にスタンド１４００を設けるようにしたものである。
【００６５】
メッシュ部材１６０の洗浄後に一定時間、薄板部材洗浄装置１０００をスタンド１４００に立てておくことで、薬液カス等が洗浄容器１１００の底に沈殿し、薬液カス等のメッシュ部材１６０への再付着を防止することができる。また、第１ベース部材１２０１に設けられる第１開口部１２０１ａの開口面積を大きく設けておくことで、薬液カス等を洗浄容器１１００の底に容易に沈殿させることができる。
【００６６】
なお、スタンド１４００は、円筒形状容器１１０２とは別部品でも良いし、円筒形状容器１１０２と一体成型されたものでもかまわない。また、スタンド１４００の形状は、図示する形状に限定されるものでなく、洗浄容器１１００の起立状態を保持できる構造であれば、どのような形態の採用も可能である。後述の実施の形態６でも同様である。
【００６７】
（実施の形態６）
次に、図１１を参照して、この発明に基づいた実施の形態６における薄板部材洗浄装置の構造について説明する。実施の形態６における薄板部材洗浄装置は、上述の実施の形態５における薄板部材洗浄装置１０００にスタンド１４００を設ける構成に加え、薄板部材固定部材１２００が、円筒形状容器１１０２内において、メッシュ部材１６０が、水道水１３００の液面より上に浮上するようにしたものである。薄板部材固定部材１２００を浮上させる構成としては、薄板部材固定部材１２００の構成部材を水道水１３００よりも比重の小さい材料を用いたり、薄板部材固定部材１２００全体として水道水１３００よりも比重が小さくなるように、浮力部材を別途設けたりすることが考えられる。なお、本実施の形態におけるスタンド１４００は、円筒形状容器１１０２と一体成型されている。
【００６８】
このように、メッシュ部材１６０が、水道水１３００の液面より上に浮上する構成を採用することで、メッシュ部材１６０の洗浄後に一定時間、薄板部材洗浄装置１０００をスタンド１４００に立てておくことで、メッシュ部材１６０を乾燥させることができる。また、実施の形態５の場合と同様に、薬液カス等が洗浄容器１１００の底に沈殿し、薬液カス等のメッシュ部材１６０への再付着を防止することができる。
【００６９】
（実施の形態７）
次に、図１２を参照して、この発明に基づいた実施の形態７における薄板部材洗浄装置の構造について説明する。実施の形態７における薄板部材洗浄装置の基本的構成は、上述の実施の形態１における薄板部材洗浄装置１０００と同じである。相違点は、薄板部材固定部材１２００が蓋部材１１０１に連結されている点にある。たとえば、第２ベース部材を廃止して、支柱１２０３を蓋部材１１０１に連結する構造が挙げられる。
【００７０】
この構造を採用することで、メッシュ部材１６０の洗浄後に蓋部材１１０１を円筒形状容器１１０２から取り外すことで、円筒形状容器１１０２にメッシュ部材１６０を衝突させることなく、容易にメッシュ部材１６０を取り出すことが可能となる。
【００７１】
なお、上記各実施の形態においては、ネブライザに用いられるメッシュ部材１６０を、洗浄対象物である薄板部材の一例として説明しているが、本発明における薄板部材洗浄装置に用いられる薄板部材は、ネブライザに用いられるメッシュ部材に限定されるものではなく、コンタクトレンズ、その他の薄板部材に対しても適用することが可能である。
【００７２】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００７３】
１００  ネブライザ、１１０  噴霧口、１２０  開閉操作部、１３０  薬液貯留部、１４０  ステップホーン、１５０  圧電素子、１６０  メッシュ部材、１６１  薄板部材、１６２  樹脂部材、１８０  液溜め部、１９０  仕切り板、２００  マウスピース、２１０  霧化装置側開口、２１１  鍔部、２２０  吸入口、２３０  空気取込口、２４０  筒状部、１０００  薄板部材洗浄装置、１１００  洗浄容器、１１０１  蓋部材、１１０２  円筒形状容器、１１０３  液面ライン、１２００，１２００Ａ，１２００Ｂ，１２００Ｃ  薄板部材固定部材、１２０１  第１ベース部材、１２０１ａ  第１開口部、１２０２，１２０２Ａ，１２０２Ｂ  メッシュ部材保持部、１２０２ａ  溝部、１２０２１  側壁部、１２０２２  傾斜支持部、１２０２３  リング部、１２０２４  押さえ部、１２０３  支柱、１２０４  第２ベース部材、１２０４ａ  第２開口部、１３００  水道水、１４００  スタンド。
【図１】
2011140008.tif 000003
【図２】
2011140008.tif 000004
【図３】
2011140008.tif 000005
【図４】
2011140008.tif 000006
【図５】
2011140008.tif 000007
【図６】
2011140008.tif 000008
【図７】
2011140008.tif 000009
【図８】
2011140008.tif 000010
【図９】
2011140008.tif 000011
【図１０】
2011140008.tif 000012
【図１１】
2011140008.tif 000013
【図１２】
2011140008.tif 000014